(57)【要約】【課題】遊園地等に配設された軌道式乗り物にただ漫然と乗車するだけではなく、能動的に射的を楽しむことができると共に、乗り物の移動を見物している人も、例えば、移動する乗り物を射的の的として楽しむことができ、さらには、的に当たったときには、光が放たれ、或は効果音が発っせられ、又は噴水を上げ、或はプロペラが回り、或はこれらを適宜組み合わせて表現されることで、射的の達成感や面白さを感得することができる屋外射的ゲーム施設を提供する。【解決手段】屋外射的ゲーム施設を、噴射ガン装置を備え、軌道に沿って移動可能な乗り物と、上記軌道から所要距離離間する位置に配設された陸上側ガン装置と、を有して構成し、これら乗り物側ガン装置と陸上側ガン装置から標的装置の的を狙い、的に当たると標的装置が作動させるように構成した。【選択図】図２
2005058394.tif 000002
【特許請求の範囲】
【請求項１】
噴射ガン装置を備え、軌道に沿って移動可能な乗り物と、上記軌道から所要距離離間する位置に配設された陸上側ガン装置と、を有して構成されてなり、これら乗り物側ガン装置と陸上側ガン装置から標的装置の的を狙い、的に当たると標的装置が作動することを特徴とする屋外射的ゲーム施設。
【請求項２】
前記ガン装置は、送水ポンプによって的に届く水圧を射出可能に構成されていることを特徴とする請求項１に記載の屋外射的ゲーム施設。
【請求項３】
前記ガン装置は、赤外線を照射する装置であることを特徴とする請求項１に記載の屋外射的ゲーム装置。
【請求項４】
前記標的装置の的は、前記乗り物及び陸上側ガン装置の近傍に配設されていることを特徴とする請求項１乃至請求項３のいずれかに記載の屋外射的ゲーム装置。
【請求項５】
前記軌道と陸上側ガン装置が配設されている場所の中途部であって、乗り物側ガン装置からでも、陸上側ガン装置からでも噴水或は赤外線が届く位置に、トレーニング標的装置を配置したことを特徴とする請求項１乃至請求項４のいずれかに記載の屋外射的ゲーム施設。
【請求項６】
前記乗り物側ガン装置及び陸上側ガン装置は、送水ポンプにより水の噴射圧力を得ることを特徴とする請求項２乃至請求項５のいずれかに記載の屋外射的ゲーム施設。
【請求項７】
前記乗り物側ガン装置は、乗り物の胴部に開設された開口から銃口が望むように固定されていると共に、ガンの胴部は、上下及び／又は左右に回動自在に軸支されていることを特徴とする請求項１乃至請求項６のいずれかに記載の屋外射的ゲーム施設。
【請求項８】
前記標的装置は、的に噴水或は赤外線が当たると、光を放ち、或は効果音を発音し、又は噴水を上げ、或はプロペラが回り、或はこれらを適宜組み合わせて表現することを特徴とする請求項１乃至請求項７のいずれかに記載の屋外射的ゲーム施設。
【請求項９】
前記乗り物は、モノレールに吊下げられた状態で移動し、或は、２条の軌道上を移動する乗り物で構成されていることを特徴とする請求項１乃至請求項８のいずれかに記載の屋外射的ゲーム施設。
【請求項１０】
前記軌道の途中に大きなカーブ部を形成し、該カーブ部では、乗り物の速度を減速させて射的を容易となさせるとともに、乗り物同士でも射的をすることができるようなレイアウトとしたことを特徴とする請求項９に記載の屋外射的ゲーム施設。
【発明の詳細な説明】
【技術分野】
【０００１】
本発明は、一方は陸上側から、他方は乗り物側から射的を楽しむことができる大型の屋外射的ゲーム施設に関する。
【背景技術】
【０００２】
従来の遊園地等に配設されている射的ゲーム装置は、一人で楽しむものであり、複数人が協力して射的を楽しむような施設は存在しない。また、従来の遊園地等に配設されている軌道式乗り物の場合、特許文献１に示すように、軌道に沿って移動する乗り物に、１人以上が乗車し、その風景を楽しんだり、擬似運転操作を楽しむだけであり、射的を楽しむような施設は存在しないため、比較的単純な遊びで長く楽しめるものではなかった。
【０００３】
【特許文献１】特開平１０−２０１９５９号公報
【発明の開示】
【発明が解決しようとする課題】
【０００４】
この発明は、かかる現状に鑑み創案されたものであって、その目的とするところは、遊園地等に配設された軌道式乗り物にただ漫然と乗車するだけではなく、能動的に射的を楽しむことができると共に、乗り物の移動を見物している人も、例えば、移動する乗り物を射的の的として楽しむことができ、さらには、的に当たったときには、光が放たれ、或は効果音が発っせられ、又は噴水を上げ、或はプロペラが回り、或はこれらを適宜組み合わせて表現されることで、射的の達成感や面白さを感得することができる屋外射的ゲーム施設を提供しようとするものである。
【課題を解決するための手段】
【０００５】
上記目的を達成するため、請求項１に記載の本発明は、屋外射的ゲーム施設を、噴射ガン装置を備え、軌道に沿って移動可能な乗り物と、上記軌道から所要距離離間する位置に配設された陸上側ガン装置と、を有して構成し、これら乗り物側ガン装置と陸上側ガン装置から標的装置の的を狙い、的に当たると標的装置が作動することを特徴とする。
【０００６】
請求項２に記載の本発明は、請求項１に記載の屋外射的ゲーム施設において、前記ガン装置は、送水ポンプによって的に届く水圧を射出可能に構成されていることを特徴とする。
【０００７】
請求項３に記載の本発明は、請求項１又は請求項２のいずれかに記載の屋外射的ゲーム施設において、前記ガン装置は、赤外線を照射する装置であることを特徴とする。
【０００８】
請求項４に記載の本発明は、請求項１乃至請求項３のいずれかに記載の屋外射的ゲーム施設において、前記標的装置の的は、前記乗り物及び陸上側ガン装置の近傍に配設されていることを特徴とする。
【０００９】
請求項５に記載の本発明は、請求項１乃至請求項４のいずれかに記載の屋外射的ゲーム施設において、前記軌道と陸上側ガン装置が配設されている場所の中途部であって、乗り物側ガン装置からでも、陸上側ガン装置からでも噴水或は赤外線が届く位置に、トレーニング標的装置を配置したことを特徴とする。
【００１０】
請求項６に記載の本発明は、請求項２乃至請求項５のいずれかに記載の屋外射的ゲーム施設において、前記乗り物側ガン装置及び陸上側ガン装置は、送水ポンプにより水の噴射圧力を得ることを特徴とする。
【００１１】
請求項７に記載の本発明は、請求項１乃至請求項６の屋外射的ゲーム施設において、前記乗り物側ガン装置は、乗り物の胴部に開設された開口から銃口が望むように固定されていると共に、ガンの胴部は、上下及び／又は左右に回動自在に軸支されていることを特徴とする。
【００１２】
請求項８に記載の本発明は、請求項１乃至請求項７のいずれかに記載の屋外射的ゲーム施設において、前記標的装置は、的に噴水或は赤外線が当たると、光を放ち、或は効果音を発音し、又は噴水を上げ、或はプロペラが回り、或はこれらを適宜組み合わせて表現することを特徴とする。
【００１３】
請求項９に記載の本発明は、請求項１乃至請求項８のいずれかに記載の屋外射的ゲーム施設において、前記乗り物は、モノレールに吊下げられた状態で移動し、或は、２条の軌道上を移動する乗り物で構成されていることを特徴とする。
【００１４】
請求項１０に記載の本発明は、請求項９に記載の屋外射的ゲーム施設において、前記軌道の途中に大きなカーブ部を形成し、該カーブ部では、乗り物の速度を減速させて射的を容易となさせるとともに、乗り物同士でも射的をすることができるようなレイアウトとしたことを特徴とする。
【発明の効果】
【００１５】
以上説明したように、請求項１に記載の本発明にあっては、屋外射的ゲーム施設を、噴射ガン装置を備え、軌道に沿って移動可能な乗り物と、上記軌道から所要距離離間する位置に配設された陸上側ガン装置と、を有して構成されてなり、これら乗り物側ガン装置と陸上側ガン装置から標的装置の的を狙い、的に当たると標的装置が作動するように構成したので、遊園地等に配設された軌道式乗り物にただ漫然と乗車するだけではなく、能動的に射的を楽しむことができると共に、乗り物の移動を見物している人も、移動する乗り物を射的の的として楽しむことができる。
【００１６】
請求項２に記載の本発明は、前記ガン装置は、送水ポンプによって的に届く水圧を射出可能に構成したので、競争意識の醸成や水遊びの達成感を得ることができ、また、水の有利な放物角度を知覚することができるので、水を利用した教育を効果的に実施することができる。
【００１７】
請求項３に記載の本発明は、前記ガン装置は、赤外線を照射する装置で構成したので、人体に赤外線が当たっても安全であり、また、標的装置に対する作動制御も容易であるため、低コストで本発明を実現することができる。
【００１８】
請求項４に記載の本発明は、前記標的装置の的を、前記乗り物及び陸上側ガン装置の近傍に配設して構成し、できる限り放水圧や赤外線が人体に直接当たらないように配慮することで、安全にゲームを楽しむことができ、また、標的装置からの水をガン装置を操作している人に掛けるように構成した場合には、笑いと対話を得ることができる。
【００１９】
請求項５に記載の本発明は、前記軌道と陸上側ガン装置が配設されている場所の中途部であって、乗り物側ガン装置からでも、陸上側ガン装置からでも噴水或は赤外線が届く位置に、トレーニング標的装置を配置したので、人体を的としないため、安全であり、複数の人が同時に楽しむことができる。
【００２０】
請求項６に記載の本発明は、前記乗り物側ガン装置及び陸上側ガン装置は、送水ポンプにより水の噴射圧力を得ることができるように構成したので、水の変幻自在に変化する魅力や不思議さを体感することができ、水をコントロールする喜びや、水遊びすることによる笑い、水を介してコミニュケーション、水のパワー等、水に関する色々な実体験により達成感や水の可能性を感得することができる。
【００２１】
請求項７に記載の本発明は、前記乗り物側ガン装置は、乗り物の胴部に開設された開口から銃口が望むように固定されていると共に、ガンの胴部は、上下及び／又は左右に回動自在に軸支されているので、乗り物の外に体を乗り出して射的することができないため、誤って乗り物から落下する心配がなく、安全である、という効果が得られる。
【００２２】
請求項８に記載の本発明は、前記標的装置を、的に噴水或は赤外線が当たると、光を放ち、或は効果音を発音し、又は噴水を上げ、或はプロペラが回り、或はこれらを適宜組み合わせて表現するように構成したので、的に当たったときには、光が放たれ、或は効果音が発っせられ、又は噴水を上げ、或はプロペラが回り、或はこれらを適宜組み合わせて表現されることで、射的の達成感や面白さを感得することができる。
【００２３】
請求項９に記載の本発明は、前記乗り物は、モノレールに吊下げられた状態で移動し、或は、２条の軌道上を移動する乗り物で構成したので、既設の乗り物にも容易に、かつ、低コストで設置することができる。
【００２４】
請求項１０に記載の本発明は、前記軌道の途中に大きなカーブ部を形成し、該カーブ部では、乗り物の速度を減速させて射的を容易となさせるとともに、乗り物同士でも射的をすることができるようなレイアウトとしたので、多彩な射的を楽しむことができる。
【発明を実施するための最良の形態】
【００２５】
以下、添付図面に示す発明の実施の形態例に基づき、この発明を詳細に説明する。
【実施例１】
【００２６】
図１乃至図１０は、この発明の実施例１に係る屋外射的ゲーム施設Ａを示しており、図１は当該施設Ａの平面配置図を、図２は同施設Ａの断面図を、図３は同施設Ａの陸上側に用いられる噴水ガン装置Ｇ１の側面図を、図４は同噴水ガン装置Ｇ１の正面図を、図５は同施設Ａの乗り物であるフライングシップＳ側に配設された噴水ガン装置Ｇ２の配置状態を示す説明図を、図６は同噴水ガン装置Ｇ２の装着状態例を示す斜視説明図を、図７は同噴水ガン装置Ｇ２の他の装着状態を示す部分斜視図を、図８は標的装置Ｈの第１例を示す説明図を、図９は同標的装置Ｈの第２例を示す説明図を、図１０は同施設の中間部に配設されるトレーニング標的装置の外観構成を示す斜視図を示している。
【００２７】
即ち、この実施例１に係る屋外射的ゲーム施設Ａは、図１と図２に示すように、この実施例では噴水を利用するガン装置Ｇが傾斜面Ｋを挟んで陸地側ＢとフライングシップＳ側に向かい合わせに配設され、これら各ガン装置Ｇは、陸地側ＢとフライングシップＳまで届く水圧が供与可能な陸地側噴水ガン装置Ｇ１，Ｇ２，Ｇ３及びフライングシップ側噴水ガン装置Ｇ４と、から構成されていると共に、これらの噴水ガン装置Ｇ１，Ｇ２，Ｇ３側に配設された標的装置Ｈ１と、これらの噴水ガン装置Ｇ１，Ｇ２，Ｇ３とフライングシップＳとの間に配設されたトレーニング標的装置Ｈ２と、を有して構成されている。
【００２８】
本実施例１に用いられる陸地側噴水ガン装置Ｇ１乃至Ｇ３は、図３と図４に示すように、砲台部１と、この砲台部１の上部に回転自在に軸支された銃座部２と、この銃座部２に上下方向に回動自在に軸支されたガンを構成するウォ−タキャノン部３と、から構成されており、このウォータキャノン部３への送水は、公知の構成からなる送水ポンプ（図示せず）を介して水を所要水圧で送水するように構成されている。この発明では、この噴射圧力を、スイッチ等で選択することができるように構成するのが望ましい。尚、図中符号４，４はハンドル部を示す。
【００２９】
また、フライングシップＳ側に配設された噴水ガン装置Ｇ４は、図５と図６に示すように、軌道５に沿って移動する複数のフライングシップＳのバー６に固定されたホルダ７に挿脱自在に保持されており、該噴水ガン装置Ｇ４の本体８には、上記バー６内を通る水路に連通接続された可撓性のホース９が連通接続され、上記ホルダ７から本体８を抜き、手に持った状態で狙いを定め、フライングシップＳ内に配設された図示しない送水ポンプによって標的装置Ｈ１，Ｈ２に向かって所要圧で射水し、射的を楽しむことができるように構成されている。
【００３０】
このフライングシップＳは、施設Ａ内を周回する公知の吊下げモノレール方式の乗り物であり、１人以上が乗れる大きさを有して構成されており、その詳細は公知の吊下げモノレール方式の乗り物と殆ど同様であるので、その詳細な説明をここでは省略する。
【００３１】
尚、図７は、噴水ガン装置Ｇ４の他の設置例を示しており、本例では、フライングシップＳの胴部に射撃用の開口Ｄからウォータキャノン部３の銃口が望むように固定すると共に、ウォータキャノン部３の胴部を、受座Ｅを介して上下及びは左右に回動自在に軸支して構成されている。これにより、フライングシップＳの外に体を乗り出して射的することができなくなるため、射的を楽しむ乗員が誤ってフライングシップＳから落下する心配がなく、安全性を高めることができる。
【００３２】
一方、この実施例１に係る上記標的装置Ｈ１は、フライングシップＳ側から狙われる標的であり、図８及び図９に示すような形態を採用することができる。
【００３３】
図８に示す標的Ｈ１Ａは、半円状の円板１０を１２０度間隔で固定したものを、支柱１１の上部に配設された略凹状に形成されたステー１２に回転自在に軸支し、縦方向に回転するものであり、図９に示す標的Ｈ１Ｂは、所謂３枚羽式プロペラである。勿論、他の形状のものを用いることもできるが、水が当たると回転する方式のものが好ましい。
【００３４】
また、トレーニング標的装置Ｈ２は、この実施例１では、屋外射的ゲーム施設Ａの傾斜面Ｋであって、陸地側ＢとフライングシップＳ側の間に配設されており、図１０に示すように、立設された複数本（図示例では４本）の支柱２０の上部に、送水管２１を掛け渡し、該送水管２１の適所には、電磁バルブ（図示せず）によって開閉制御可能な噴水孔２２がすくなくとも１以上（図示例では３箇所で合計６孔）開設されていると共に、上記支柱２０の上部には、陸地側Ｂに設置された噴水ガン装置Ｇ１乃至Ｇ３及びフライングシップＳ側に設けられた噴水ガン装置Ｇ４からの射水の的となる圧力センサ２３が複数配設されており、該圧力センサ２３に上記噴水ガン装置Ｇ１乃至Ｇ４からの水が当たると、該圧力センサ２３は、これを検知して上記電磁バルブの一部或は全部の噴水孔２２を開放し、所要時間の間、勢い良く水を噴射する。この噴射された水は、例えば、陸地側Ｂの射的者に掛けるようにしてもよい。これにより、参加者と観覧者の笑いを誘う水遊びを楽しみながら実現することができる。
【００３５】
また、上記噴水には、ライトアップして色々な色を表現させてもよく、また、効果音を同時に発したり、図示はしていないが、例えば、プロペラを回したりすることで、より視覚的・聴覚的な楽しみや満足感を得ることができ、趣向性が向上する。
【００３６】
さらに、この実施例１では、図１に示すように、前記軌道５の途中に大きなカーブ部５Ａを形成し、該カーブ部５Ａでは、フライングシップＳの移動速度を減速させるように構成することで、射的を容易となさせるとともに、フライングシップＳ同士でも射的をすることができるようなレイアウトとしたので、空中戦のような感覚を体験することもでき、より多彩な射的を楽しむことができる。
【００３７】
それ故、この実施例１に係る屋外射的ゲーム施設Ａにあっては、消防士でなければ体験できないような放水圧とそのコントロールを体験することができ、同時に相手の安全性を確認しながら遊ぶことができるため、注意力の育成に有効であり、また、軌道上を移動するフライングシップという乗り物を標的にする、といった従来には全くなかった新しく、かつ、壮大なゲームを、水や赤外線といった人体に無害な手段で楽しむことができると共に、参加者と観覧者の笑いを誘う水遊びを楽しみながら実現することができ、しかも、２人以上で協力して競技した場合には、協力意識を醸成し、達成感を得ることができるという効果が得られる。
【００３８】
尚、上記実施例１では、乗り物としてフライングシップを例にとり説明したが、この発明にあってはこれに限定されるものではなく、ゴンドラ方式、陸上軌条を走行するバスや電車、車等、軌道上を移動する各種乗り物に適用することができる。
【００３９】
また、上記実施例１では、ガン装置を噴水式で構成した場合を例にとり説明したが、これに代えて赤外線照射方式であっても構わない。この場合、実施例１のトレーニング標的装置Ｈ２の圧力センサ２３や陸地側標的装置Ｈ１の標的Ｈ１Ａ及びＨ１Ｂも、当然、赤外線受光センサが用いられる。
【図面の簡単な説明】
【００４０】
【図１】この発明の実施例１に係る屋外射的ゲーム施設の平面配置図である。
【図２】同施設の断面図である。
【図３】同施設の陸上側に用いられる噴水ガン装置の側面図である。
【図４】同噴水ガン装置の正面図である。
【図５】同施設の乗り物であるフライングシップ側に配設された噴水ガン装置の配置状態を示す説明図である。
【図６】同噴水ガン装置の装着状態例を示す斜視説明図である。
【図７】同噴水ガン装置の他の装着状態を示す部分斜視図である。
【図８】標的装置の第１例を示す説明図である。
【図９】同標的装置の第２例を示す説明図である。
【図１０】同施設の中間部に配設されるトレーニング標的装置の外観構成を示す斜視図である。
【符号の説明】
【００４１】
Ａ  屋外射的ゲーム施設
Ｂ  陸地側
Ｈ１  陸地側標的装置
Ｈ１Ａ，Ｈ１Ｂ  標的
Ｈ２  トレーニング標的装置
Ｇ，Ｇ１，Ｇ２，Ｇ３  陸地側噴水ガン装置
Ｇ４  フライングシップ側噴水ガン装置
Ｓ  フライングシップ（乗り物）
１  砲台部
２  銃座部
３  ウォータキャノン部
５  軌道
５Ａ  軌道のカーブ部
１０  半円板
１１  支柱
２０  支柱
２１  送水管
２２  噴水孔
２３  圧力センサ
【図１】
2005058394.tif 000003
【図２】
2005058394.tif 000004
【図３】
2005058394.tif 000005
【図４】
2005058394.tif 000006
【図５】
2005058394.tif 000007
【図６】
2005058394.tif 000008
【図７】
2005058394.tif 000009
【図８】
2005058394.tif 000010
【図９】
2005058394.tif 000011
【図１０】
2005058394.tif 000012